(57)【要約】【課題】病人の希望に合わせて、簡単にベッドの両端の角度を調節することができるベッドフレームの改良構造を提供する。【解決手段】  ベッドの床板を適宜な角度に調節できる構造であって、長方形状など矩形状に枠組み形成され、両側に分けられた空間部１１を備えたベッドフレーム１０と、該ベッドフレーム上方に並設され所定枚数毎に蝶番２５により連結された複数の床片２１，２２，２３，２４からなる床板２０と、該床板のベッドフレームに接する面に設けられた位置決め板２１１，２２１，２４１と、前記２つに分割されたベッドフレームの両側に形成された空間部に夫々収納配設されて一端が支軸に軸支され、他端がベッドフレームに固定された流体シリンダ機構３１と、支軸の両端に取り付けられ位置決め板に摺接する回転輪３２１とからなり、ヘッドフレーム１０の中央部分に位置する床片２２の両端をベッドフレームの両側上面に固定するようにした。【選択図】  図１
0003107196.tif 000002
【実用新案登録請求の範囲】
【請求項１】
長方形状など矩形状に枠組み形成され、中央枠材により２つに分割された空間部を備えたベッドフレームと、
該ベッドフレーム上方に並設され所定枚数毎に蝶番により連結された複数の床片からなる床板と、
該床板のベッドフレームに接する面に設けられた位置決め板と、
前記ベッドフレームに形成された空間部に夫々収納配設されて一端が前記支軸に軸支され、他端がベッドフレームに固定された流体シリンダ機構により起伏自在に旋回作動する駆動装置と、
前記支軸の両端に取り付けられ前記位置決め板に摺接する回転輪とからなり、
前記ヘッドフレームの中央部分に位置する前記床片の両端を前記ベッドフレームの両側上面に固定するようにしたことを特徴とするベッドの改良構造。
【請求項２】
ベッドフレームの両側に形成された空間部内に設けられた駆動装置は、前記Ｈ型形状の支軸に対応してそれぞれベッドフレームの左右両側内面に設けた一対の支軸を増設してなり、該支軸の一端は前記ベッドフレームに接続され、他端が床板の床片の裏面に設けた位置決め板に接続するようにしたことを特徴とする請求項１に記載したベッドの改良構造。
【請求項３】
前記駆動装置の駆動操作を電動式リモートコントロール又は無線式リモートコントロールによって作動させるようにしたことを特徴とする前記請求項１に記載したベッドの改良構造。
【請求項４】
前記駆動装置の駆動を油圧シリンダ機構もしくは空圧シリンダ機構によって行うようにしたことを特徴とする請求項１に記載したベッドの改良構造。
【考案の詳細な説明】
【技術分野】
【０００１】
この考案は、ベッドの改良構造に関し、特に、ベッド両端の角度を調整することができるようにすることで角度を調整可能としたベッドの改良構造に関する。
【背景技術】
【０００２】
各病院で使用されているベッドを見ると、従来はベッドの角度が調節できない固定式の平らなベッドが主であったが、最近では横たわった時に角度を調整することができるベッドが使用されている。
従来の固定式ベッドでは、患者は長時間平らなベッドに横たわらなければならず、食事やテレビを見るときに不便であった。また、平らなベッドに長時間寝ることは患者が筋肉痛・床ずれ等を起こし、健康にも影響を与えた。
したがって、使用者の需要に従い食事用にベッド用の移動式食事用カートを準備したり、病人が上半身の角度を調整してベッドに腰掛けるような姿勢で食事をするようにするとか、就寝時には個人の寝る姿勢に合わせて上半身の角度を調整することができるようにする構成のベッドが望まれている。
【０００３】
ベッドの関連業者は固定式ベッドを改良し、ベッドの角度をハンドル式で調整できる機能を設けた構造を提供している
しかし、このようなベッドは角度を調整する機能を備えているが、使用上機構が複雑で、容易に操作できないという不具合がある。        
また、ハンドル式の上昇・下降調節構造によりベッドの角度を調整する時、使用者の体が不自由な場合、角度を調節することができず、角度調整をするために他人の手を借りなければならず、実用的でない。
さらに、ハンドル式の上昇・下降調節構造は、上半身を起こしすぎた場合、調節することが難しく、時間を節約することができないなどの不具合がある。
【考案の開示】
【考案が解決しようとする課題】
【０００４】
この考案は、病人など使用者の希望に合わせて、簡単にベッドの両端の角度を調節することができるベッドの改良構造を提供することを課題とする。
【課題を解決するための手段】
【０００５】
この考案の請求項１にかかるベッドの改良構造は、使用者の希望に合わせて、簡単にベッドの両端の角度を調節することができるベッドの改良構造を提供しようとするものであり、長方形状など矩形状に枠組み形成され、中央枠材により２つに分割された空間部を備えたベッドフレームと、該ベッドフレーム上方に並設され所定枚数毎に蝶番により連結された複数の床片からなる床板と、該床板のベッドフレームに接する面に設けられた位置決め板と、前記ベッドフレームに形成された空間部に夫々収納配設されて一端が前記支軸に軸支され、他端がベッドフレームに固定された流体シリンダ機構により起伏自在に旋回作動する駆動装置と、前記支軸の両端に取り付けられ前記位置決め板に摺接する回転輪とからなり、前記ヘッドフレームの中央部分に位置する前記床片の両端を前記ベッドフレームの両側上面に固定するようにしたことを特徴とする。
【０００６】
請求項２の考案は、前記請求項１に記載したベッドの改良構造において、ベッドフレームの両側に形成された空間部内に設けられた駆動装置は、前記Ｈ型形状の支軸に対応してそれぞれベッドフレームの左右両側内面に設けた一対の支軸を増設してなり、該支軸の一端は前記ベッドフレームに接続され、他端が床板の床片の裏面に設けた位置決め板に接続するようにしたことを特徴とする。
【０００７】
請求項３の考案は、請求項１に記載したベッドの改良構造において、前記駆動装置の駆動操作を電動式リモートコントロール又は無線式リモートコントロールによって作動させるようにしたことを特徴とする。
【０００８】
請求項４の考案は、請求項１に記載するベッドの改良構造において、前記駆動装置の駆動を油圧シリンダ機構もしくは空圧シリンダ機構によって行うようにしたことを特徴とする。
【考案の効果】
【０００９】
この考案によるベッドの改良構造によれば、使用者は簡単にベッドフレームの両端の角度を調節できるため、ベッドフレーム上の床板の形状を他人の補助を必要とすることなく変形可能であり、実用的であるという利点を有する。
【考案を実施するための最良の形態】
【００１０】
以下、この考案にかかるベッドの改良構造を詳述するために具体的な実施例を挙げ、図示を参照にして説明する。
【実施例】
【００１１】
図１はこの考案のベッドの改良構造にかかる実施例を示す分解斜視図である。
図示のように、ベッド１は、ベッドフレーム１０と、複数の床片２１，２２，２３，２４を並設けてなる床板２０と、該ベッドフレーム１０の両端に設けられた駆動装置３０とを備えてなる。
【００１２】
該ベッドフレーム１０は、長方形などの矩形状に枠組み構成されており、両端に空間部１１を備えている。該床板２０は、複数枚を１組として夫々幅寸法を異ならせた床片２１，２２，２３，２４と、ベッドフレーム１０の上面に接触する裏面に設けられた位置決め板２１１，２２１，２４１とにより構成されている。
前記複数枚が１組とされた各床片２１、２２、２３、２４との間はそれぞれ蝶番２５により連結されており、床板の中央部分となる床片２２は前記ベッドフレーム１０の上面にねじなどにより固定されている。
【００１３】
前記駆動装置３０は、前記２つに分割されたベッドフレーム１０の両側に形成された空間部１１に夫々収納配設されて起伏自在に旋回するＨ型形状の支軸３２と、一端が前記支軸３２に軸支され、他端が軸棒３２２によりベッドフレーム１０に固定された流体シリンダ機構である油圧シリンダ機構３１とからなり、前記支軸３２の両端には前記位置決め板２１１，２２１，２４１に摺接する回転輪３２１を有している。
前記床板２０はベッドフレーム１０の上面に設けられるため、ベッドフレーム１０の空間部１１に配設された駆動装置３０がベッドフレーム１０と床板２０との間に収納され、角度を調節できるベッドが完成する。
【００１４】
前述のベッド１は、ベッドフレーム１０の一端に形成された空間部１１内に設けられた駆動装置３０に、前記Ｈ型形状の支軸３２に対応してそれぞれベッドフレーム１０の左右両側内面に設けた一対の支軸３３を増設することができる。
該支軸３３は、ベッドフレーム１０の左右両側内面に設けられ、一端がベッドフレーム１０に軸支され、他端は床板２０の床片２４の裏面に設けられた位置決め板２４１に軸支したものである。
【００１５】
図２は、本考案のベッド１を通常状態で使用する場合の全体斜視図である。
図示によると、床板２０はベッドフレーム１０と水平な状態で上方に載置した状態を示しており、この床板２０の上面に使用者は水平状態で就寝することができる。
【００１６】
図１と図３に示すように、前記床板２０の床片２２はベッドフレーム１０の長手方向の両側辺に固定されており、床片２１，２３，２４はベッどフレーム本体の長手方向の両側辺には固定されていない。
したがって、使用者は、駆動装置３０である油圧シリンダ機構３１をそれぞれ電動式リモートコントロール又は無線式リモートコントロールによって作動させて、床片２１，２４の角度を調節することができる。両駆動装置３０は油圧シリンダ機構３１の伸縮を利用し、支軸３２を軸棒３２２により上下に動かして上昇・下降させることができる。
また、支軸３２の一端に設けた回転輪３２１は、床片２１，２４の下表面に設けられた位置決め板２４１に回動接触する。
【００１７】
前記床片２１，２４の角度調節には、床片２４の裏面の位置決め板２４１を支軸３３に軸設することができる。該支軸３３の他端はフレーム本体１０に固定され、駆動装置３０が作動する場合、支軸３３はフレーム本体１０の一端に軸で固定し、回転の中心として床片２４の機能を支持し、補強する。床片２１と床片２２は蝶番２５により連結されており、床片２１は使用者の需要により傾斜させ、人の上半身を支える機能がある。床片２３は床片２２と床片２４との間を蝶番２５で連結する。また、床片２４を調節し、適宜な角度に移動させる。また、同時に床片２３を連動して傾斜させ、使用者の脚部分の快適さを提供する。
【００１８】
前述の駆動装置３０のコントロール方式は、電動リモコンか、或いは、無線リモコンにより操作する。該駆動装置３０の流体シリンダ機構は、油圧シリンダ機構３１若しくは空気シリンダ機構を用いてもよいことは勿論である。
【００１９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２０】
【図１】この考案によるベッドの改良構造にかかる実施例を示す分解説明図である。
【図２】図１に開示するベッドの改良構造の組み合わせた状態の全体斜視図である。
【図３】図１に開示したベッドの改良構造の駆動装置を作動させた場合の説明図である。
【符号の説明】
【００２１】
１              ベッド
１０            ベッドフレーム
１１            空間部
２０            床板
２１，２２，２３，２４      床片
２５            蝶番
３０            駆動装置
３１          油圧シリンダ機構（流体シリンダ機構）
３２            支軸
３３            支軸
２１１，２２１，２４１      位置決め板
３２１        回転輪  
３２２          軸棒
【図１】
0003107196.tif 000003
【図２】
0003107196.tif 000004
【図３】
0003107196.tif 000005